(57)【特許請求の範囲】
【請求項１】
所定の情報を入力することにより、各ＣＭ素材にそれぞれ固有な、数字又は文字或いはそれらの組合せで構成されたＣＭコードを自動的に発行する手段と、
前記発行されたＣＭコードを登録するためのデータベースと、
ＣＭ素材をファイル化するファイリング手段と、
前記発行されたＣＭコードを前記ファイル化されたＣＭ素材に適当な方法でエンコードするエンコード手段と、
前記エンコードされたＣＭ素材を放送局に送信する送信手段と、
前記広告主との契約に基づく放送進行指示に従って前記放送局から放送された前記エンコードされたＣＭ素材を受信する受信手段と、
前記受信手段によって受信された前記放送されたＣＭ素材から前記エンコード手段によって前記エンコードされたＣＭコードをデコードするデコード手段と、
前記放送局から前記ＣＭ素材が放送された月日時分を記録すると共に、当該放送されたＣＭ素材が前記広告主との契約に基づく前記放送進行指示に合致するかどうかを確認する確認手段と、
前記確認手段による確認結果を広告会社に通知する通信手段と、
を備え、
予定していたＣＭ放送枠が移動する場合、当該ＣＭ放送枠に関する時間移動データに従ってＣＭ放送予定データを変更する手段を更に備え、
前記確認手段は、前記変更されたＣＭ放送予定データと実際に放送された放送結果とを照合し、
前記通信手段は、前記照合した結果を前記広告会社に通信する、
ことを特徴とするコマーシャルトラッキングシステム。
【請求項２】
所定の情報を入力することにより、各ＣＭ素材にそれぞれ固有な、数字又は文字或いはそれらの組合せで構成されたＣＭコードを自動的に発行し、
前記発行されたＣＭコードをデータベースに登録し、
ＣＭ素材をファイル化し、
前記発行されたＣＭコードを前記ファイル化されたＣＭ素材に適当な方法でエンコードし、
前記エンコードされたＣＭ素材を放送局に送信し、
前記広告主との契約に基づく放送進行指示に従って前記放送局から放送された前記エンコードされたＣＭ素材を受信し、
前記受信されたＣＭ素材から前記エンコードされたＣＭコードをデコードし、
前記放送局から前記ＣＭ素材が放送された月日時分を記録し、
前記放送されたＣＭ素材が前記広告主との契約に基づく前記放送進行指示に合致するかどうかを確認し、
前記確認結果を広告会社に通知し、
予定していたＣＭ放送枠が移動する場合、当該ＣＭ放送枠に関する時間移動データに従ってＣＭ放送予定データを変更する、
段階を具備し、
前記確認する段階は、前記変更する段階で変更された前記ＣＭ放送予定データと実際に放送された放送結果とを照合し、
前記通信する段階は、前記照合した結果を前記広告会社に通信する、
ことを特徴とするコマーシャルトラッキング方法。
【発明の詳細な説明】
【発明の属する技術分野】
本発明は、テレビ、ラジオ等の放送局からテレビ、ラジオを通じて放送される広告（コマーシャル；以下ＣＭと略称する）のトラッキングに関し、特に、テレビ、ラジオ等により放送されたＣＭが広告主との契約内容に基づいて適宜に放送されたかどうかをトラッキングするシステム及びその方法に関する。
【従来の技術】
一般に、テレビ、ラジオ等の放送局からＣＭを放送する場合の一般的な業務の流れについて説明する。ＣＭ放送業務の流れは、「ＣＭ素材」と「放送進行指示」の二つに大別することができる。
「ＣＭ素材」とは、映像・音声が編集された完成した形のパッケージ・メディアである。ＣＭ素材には、ＣＭマスター・テープとそのＣＭマスター・テープから生成した放送局用に搬入されるダビング・テープの両方が含まれる。
「放送進行指示」とは、どのＣＭ素材をどのタイミングで放送するかを示す指示である。この放送進行指示は、テレビ、ラジオ等の放送局と広告主が広告会社を介して結ぶ契約事項であり、その内容としては、広告主が広告会社を通じて所定の放送局に向けて出す指示が項目別に記載されている。
放送進行指示に記載される項目としては、「広告主名」、「広告会社名」、「ＣＭ素材のタイトル」、「ＣＭ素材の秒数」、「ＣＭ素材に付番されたコード」、「放送する枠の月日及び時間」及び「放送する枠に対応するＣＭ素材」などが含まれている。
従来のＣＭトラッキング方式は、実際に放送された一日の放送番組をビデオテープレコーダ（ＶＴＲ）などを用いて録画しておき、録画された一日の番組をモニタに再生して、モニタに映し出されたＣＭ素材を人間が直接監視することにより、所定のＣＭ素材が一日の番組中において放送進行指示に記載された内容に基づいて実際に放送されたかどうかを確認するというものである。
【発明が解決しようとする課題】
しかしながら、上述した従来の方式では、放送されたＣＭ素材の内容を人間が常にモニタを監視しながら直接確認すると共に、そのＣＭ素材が放送された時間帯や放送された時間長を人間が直接又は間接的に計測または計時して確認しなければならず、効率的にトラッキングを行うことができず、かつ人間による潜在的な誤監視を生じうるという問題点があった。
本発明は、上記従来の方式における問題点に鑑み、テレビ、ラジオ等の放送局から放送されたＣＭ素材が放送進行指示に基づいて契約通りに放送されたかどうかをより正確にかつ効率的にトラッキングすることができるコマーシャル（ＣＭ）トラッキングシステム及び方法を提供することをその課題とする。
【課題を解決するための手段】
本発明の上記課題は、広告主から発行された、各ＣＭ素材にそれぞれ固有なＣＭコードを登録するためのデータベースと、発行されたＣＭコードを所定のＣＭ素材にエンコードするエンコード手段と、エンコードされたＣＭ素材を放送局に送信する送信手段と、広告主との契約に基づく放送進行指示に従って放送局から放送されたエンコードされたＣＭ素材を受信する受信手段と、受信手段によって受信された放送されたＣＭ素材からエンコード手段によってエンコードされたＣＭコードをデコードするデコード手段と、放送局からＣＭ素材が放送された月日時分を記録すると共に、当該放送されたＣＭ素材が広告主との契約に基づく放送進行指示に合致するかどうかを確認する確認手段と、確認手段による確認結果を広告会社に通知する通信手段とを備えているコマーシャルトラッキングシステムによって達成される。
また、本発明の上記課題は、広告主から発行された、各ＣＭ素材にそれぞれ固有なＣＭコードを登録し、発行されたＣＭコードを所定のＣＭ素材にエンコードし、エンコードされたＣＭ素材を放送局に送信し、広告主との契約に基づく放送進行指示に従って放送局から放送されたエンコードされたＣＭ素材を受信し、受信されたＣＭ素材からエンコードされたＣＭコードをデコードし、放送局からＣＭ素材が放送された月日時分を記録し、該放送されたＣＭ素材が広告主との契約に基づく放送進行指示に合致するかどうかを確認し、確認結果を広告会社に通知する段階を具備するコマーシャルトラッキング方法によって達成される。
【作用】
本発明のコマーシャルトラッキングシステムでは、データベースは、広告主から発行された、各ＣＭ素材にそれぞれ固有なＣＭコードを登録し、エンコード手段は、発行されたＣＭコードを所定のＣＭ素材にエンコードし、送信手段は、エンコードされたＣＭ素材を放送局に送信し、受信手段は、広告主との契約に基づく放送進行指示に従って放送局から放送されたエンコードされたＣＭ素材を受信し、デコード手段は、受信手段によって受信された放送されたＣＭ素材からエンコード手段によってエンコードされたＣＭコードをデコードし、確認手段は、放送局からＣＭ素材が放送された月日時分を記録すると共に、当該放送されたＣＭ素材が広告主との契約に基づく放送進行指示に合致するかどうかを確認し、通信手段は、確認手段による確認結果を広告会社に通知する。
【発明の実施の形態】
以下、添付した図面を参照して、本発明のコマーシャルトラッキングシステムの実施例を説明する。
【実施例】
図１は、本発明のコマーシャル（以下、ＣＭと略称する）トラッキングシステムの一実施例の構成を示すブロック図である。
図１に示すように、本発明のＣＭトラッキングシステムは、そのシステムの中枢を形成するＣＭセンター１００、広告主２００、広告会社３００、放送局４００、及びポストプロダクション５００により構成されている。
ＣＭセンター１００は、通信システム１０１、通信システム１０１に接続されたエンコード部１０２、通信システム１０１に接続された進行表データベース（ＤＢ）１０３、進行表ＤＢ１０３に接続されたデコード・マッチング部１０４、デコード・マッチング部１０４に接続された受信部１０５、通信システム１０１、エンコード部１０２及び進行表ＤＢ１０３に接続されたＣＭ素材統一コードＤＢ１０６、通信システム１０１、エンコード部１０２及び進行表ＤＢ１０３に接続されたファイリング部１０７、通信システム１０１に接続された記憶部１０８、通信システム１０１及び記憶部１０８に接続されたＣＭ素材サーバ１０９、通信システム１０１、進行表ＤＢ１０３、及びデコード・マッチング部１０４に接続された制御部１１０、及び制御部１１０に接続された記憶部１１１を備えている。
広告主２００は、ＣＭセンター１００の通信システム１０１に電話回線、インターネット又は専用回線で接続された通信システム２０１を備えている。
広告会社３００は、広告主２００からの指示により所定の動作を行う制御部３０１、制御部３０１に接続され、ＣＭセンター１００の通信システム１０１に電話回線、インターネット又は専用回線で接続された通信システム３０２を備えている。
放送局４００は、ＣＭセンター１００の通信システム１０１に電話回線、インターネット又は専用回線で接続された通信システム４０１、通信システム４０１に接続されたＣＭ進行部４０２、通信システム４０１に接続されたコードクライアント部４０３、通信システム４０１及びＣＭ進行部４０２に接続されたＣＭバンク４０４、ＣＭバンク４０４に接続された送信部４０５、及びコードクライアント部４０３に接続された記憶部４０６を備えている。
ポストプロダクション５００は、ＣＭセンター１００の通信システム１０１及び広告主２００の通信システム２０１に電話回線、インターネット又は専用回線で接続された通信システム５０１を備えている。
図２は、図１のコマーシャルトラッキングシステムの動作を説明するためのフロー図である。
以下、図２を参照して図１の各構成部分の動作を詳細に説明する。
▲１▼ＣＭ完成
ポストプロダクション５００は、編集完了済のＣＭマスターテープ（図示省略）を通信システム５０１から送信して、ＣＭセンター１００の通信システム１０１を介してＣＭセンター１００に搬入すると共に、ＣＭマスターテープが完成したことを通信システム５０１により広告主２００に通知する。
▲２▼ＣＭコード発行
広告主２００側では、通信システム２０１は、そのディスプレイのスクリーン上に表示される「レギュレーションフォーム」（図３）に記載された所定の項目に、オペレータが必要事項を入力することにより、ＣＭコードを自動的に生成する。通信システム２０１は、同様に、完成したＣＭの全てに対してＣＭコードをそれぞれ発行し（即ち、各ＣＭに対して固有なＣＭコードを配布）、これらＣＭコードに関する情報をＣＭセンター１００の通信システム１０１を介してＣＭセンター１００に送信する。
▲３▼ＣＭコードのＤＢ登録
広告主２００の通信システム２０１により送信されたＣＭコードに関する情報は、ＣＭセンター１００の通信システム１０１で受信される。通信システム１０１で受信されたＣＭコードに関する情報は、ＣＭセンター１００のＣＭ素材統一コードデータベース（以下、ＣＭコードＤＢと称する）１０６に記憶される。換言すると、各ＣＭ素材に対応するそれぞれのＣＭコードがＣＭコードＤＢ１０６に登録される。ここで、ＣＭコードがＣＭコードＤＢ１０６に登録される際には、前提条件としてポストプロダクション５００からＣＭマスターテープが通信システム５０１及び通信システム１０１によりＣＭセンター１００に既に搬入されているものとする。
▲４▼ＣＭにＣＭコードをエンコード
ＣＭセンター１００は、通信システム１０１を介して搬入されたＣＭマスターテープをファイリング部１０７でファイル化する。エンコード部１０２は、ファイリング部１０７により生成されたファイル（以下、ＣＭファイルと称する）に、ＣＭコードＤＢ１０６に登録されたＣＭコードを、電子透かし等の適当な方法を用いて埋め込む（エンコードする）。
▲５▼ＨＤ保存
エンコード部１０２によるＣＭコードの埋め込みが完了したＣＭファイルを、高速なハードディスク（ＨＤ）のディスクアレイ（図示省略）などで構成される記憶部１０８に記憶して、ＣＭコード埋め込み済ＣＭファイルを何時でもオンライン送信できるように準備しておく。
▲６▼ＣＭ素材受信
ＣＭ素材サーバ１０９は、記憶部１０８に記憶されたＣＭコード埋め込み済ＣＭファイルを、必要に応じてファイル伝送プロトコル（ＦＴＰ）形式に変換して通信システム１０１に出力する。通信システム１０１は、ＣＭ素材サーバ１０９から入力されたＦＴＰ形式のＣＭファイルを放送局４００の通信システム４０１に送信する。通信システム４０１を介して放送局４００のコードクライアント部４０３に送信されたＣＭコード埋め込み済ＣＭファイルは、放送局４００側の高速なハードディスク（ＨＤ）のディスクアレイ（図示省略）などで構成される記憶部４０６に記憶・蓄積される。
▲７▼ＣＭコード連絡及びＣＭ素材指定受信
広告主２００は、通信システム２０１により、図４に示すような内容で、放送局４００と契約したＣＭ放送予定枠で放送するＣＭ素材を、上述したＣＭコードを用いて広告会社３００に指示する。
▲８▼ＣＭ放送予定枠及びＣＭ素材指定の単一化
広告主２００から指示を受けた広告会社３００は、通信システム３０２により、ＣＭセンター１００にその指示を送信する。ＣＭセンター１００は、通信システム１０１により広告会社３００の通信システム３０２から受信した指示を、ＣＭセンター１００内の進行表データベース（以下、進行表ＤＢと称する）１０３に記憶・蓄積する。なお、これらの指示は、１つのＣＭ放送予定枠に対して１つのＣＭ素材が対応するように構成されている。
▲９▼放送進行指示受信
ＣＭセンター１００は、進行表ＤＢ１０３に記憶・蓄積された指示から構成されているＣＭ進行データを、通信システム１０１により放送局４００の通信システム４０１に送信する。
▲１０▼ＣＭバンク登録
放送局４００は、通信システム４０１で受信した進行表ＤＢ１０３からのＣＭ進行データに基づいて、上記▲６▼で受信したＣＭ素材、即ち、記憶部４０６に記憶・蓄積されるＣＭファイルをＣＭ進行部４０２で一本化してＣＭバンク４０４に登録する。
▲１１▼放送
放送局４００は、ＣＭバンク４０４に登録されたＣＭ素材・ＣＭ進行データに基づいて送信部４０５からＣＭを放送アンテナ６００に送信する。
▲１２▼受信及びデコード
ＣＭセンター１００では、受信部１０５は、放送局４００から送信されたＣＭを、放送アンテナ６００を介して放送電波として受信し、デコード・マッチング部１０４は、受信部１０５で受信した放送電波から、上記▲４▼でＣＭ素材に埋め込まれたＣＭコードを読み取る（デコードする）。
▲１３▼実際の放送結果
制御部１１０は、読み取った実際の放送結果に基づいて、ＣＭが放送された実時間、広告主名、ＣＭ素材タイトル、ＣＭコードを集計して、それぞれのデータを記憶部１１１に記憶する。
▲１４▼最終放送予定
制御部１１０は、更に、上記▲８▼の処理で進行表ＤＢ１０３に蓄積された指示に基づく各ＣＭ素材に対する放送予定データに、後述する▲１７▼の時間移動情報を加えて、確定したＣＭ放送予定情報を最終的に作成する。
▲１５▼マッチング結果
デコード・マッチング部１０４は、上記▲１３▼及び上記▲１４▼により得られたデータのマッチングを行い、制御部１１０は、デコード・マッチング部１０４でマッチングが得られた場合には「マッチ」、マッチングが得られなかった場合には「アンマッチ」をマッチング結果としてＣＭセンター１１０のディスプレイ装置（図示省略）の画面上に表示する。いずれの場合にもそのマッチング結果は、ＣＭセンター１００の通信システム１０１及び広告会社３００の通信システム３０２を介して広告会社３００に送信される。
▲１６▼時間移動発生
特番編成、期首期末編成等の理由で、当初予定していたＣＭ放送枠が移動するような場合には、放送局４００は、通信システム４０１、通信システム１０１を介してＣＭセンター１００にＣＭ放送枠に関する時間移動データを送信する。
▲１７▼時間移動情報による放送予定変更
制御部１１０は、ＣＭセンター１００の進行表ＤＢ１０３に蓄積されたＣＭ放送予定データを、上記▲１６▼で放送局４００から送信された時間移動データに従って逐次変更する。また、制御部１１０は、時間移動に関する情報を通信システム１０１及び通信システム３０２を介して、ＣＭセンター１００から広告会社３００に送信する。
▲１８▼放送確認書発行
放送局４００において、ＣＭ進行部４０２は、ＣＭバンク４０４のデータに基づいて送信部４０５から送信した放送番組の実績に基づいて、図５に示すようなスポット放送確認書、及び図６に示すようなタイム放送確認書を発行して、それらの放送確認書を通信システム４０１、通信システム３０２を介して広告会社３００の制御部３０１に送信する。
▲１９▼マッチング
広告会社３００において、制御部３０１は、上記▲１５▼でＣＭセンター１００から送信されたマッチング結果のデータと、上記▲１８▼で放送局４００から送信された放送確認書データとのマッチングを行い、時間移動報告書、事故報告書等とのマッチングを最終的に確認する。
【発明の効果】
本発明のコマーシャルトラッキングシステムは、広告主から発行された、各ＣＭ素材にそれぞれ固有なＣＭコードを登録するためのデータベースと、発行されたＣＭコードを所定のＣＭ素材にエンコードするエンコード手段と、エンコードされたＣＭ素材を放送局に送信する送信手段と、広告主との契約に基づく放送進行指示に従って放送局から放送されたエンコードされたＣＭ素材を受信する受信手段と、受信手段によって受信された放送されたＣＭ素材からエンコード手段によってエンコードされたＣＭコードをデコードするデコード手段と、放送局からＣＭ素材が放送された月日時分を記録すると共に、当該放送されたＣＭ素材が広告主との契約に基づく放送進行指示に合致するかどうかを確認する確認手段と、確認手段による確認結果を広告会社に通知する通信手段とを備えているので、テレビ、ラジオ等の放送局から放送されたＣＭ素材が放送進行指示に基づいて契約通りに放送されたかどうかをより正確にかつ効率的にトラッキングすることができる。
本発明のコマーシャルトラッキング方法は、広告主から発行された、各ＣＭ素材にそれぞれ固有なＣＭコードを登録し、発行されたＣＭコードを所定のＣＭ素材にエンコードし、エンコードされたＣＭ素材を放送局に送信し、広告主との契約に基づく放送進行指示に従って放送局から放送されたエンコードされたＣＭ素材を受信し、受信されたＣＭ素材からエンコードされたＣＭコードをデコードし、放送局からＣＭ素材が放送された月日時分を記録し、該放送されたＣＭ素材が広告主との契約に基づく放送進行指示に合致するかどうかを確認し、確認結果を広告会社に通知する段階を具備するので、テレビ、ラジオ等の放送局から放送されたＣＭ素材が放送進行指示に基づいて契約通りに放送されたかどうかをより正確にかつ効率的にトラッキングすることができる。
【図面の簡単な説明】
【図１】本発明のコマーシャルトラッキングシステムの一実施例の構成を示すブロック図である。
【図２】図１のコマーシャルトラッキングシステムの動作を説明するためのフロー図である。
【図３】本発明のコマーシャルトラッキングシステムに用いられるレギュレーションフォームの一例を示す図である。
【図４】本発明のコマーシャルトラッキングシステムにおけるＣＭ放送予定枠で放送すべきＣＭ素材を表しているＣＭ放送指示書の一例を示す図である。
【図５】本発明のコマーシャルトラッキングシステムにおけるスポット放送確認書の一例を示す図である。
【図６】本発明のコマーシャルトラッキングシステムにおけるタイム放送確認書の一例を示す図である。
【符号の説明】
１００  ＣＭセンター
１０１  通信システム
１０２  エンコード部
１０３  進行表ＤＢ
１０４  デコード・マッチング部
１０５  受信部
１０６  ＣＭ素材統一コードＤＢ
１０７  ファイリング部
１０８、１１１  記憶部
１１０  制御部
２００  広告主
２０１  通信システム
３００  広告会社
３０１  制御部
３０２  通信システム
４００  放送局
４０１  通信システム
４０２  ＣＭ進行部
４０３  コードクライアント部
４０４  ＣＭバンク
４０５  送信部
４０６  記憶部
５００  ポストプロダクション
５０１  通信システム
６００  放送アンテナ
【図１】
0004165937.tif 000002
【図２】
0004165937.tif 000003
【図３】
0004165937.tif 000004
【図４】
0004165937.tif 000005
【図５】
0004165937.tif 000006
【図６】
0004165937.tif 000007